(57)【要約】イオン源のフェースプレートの温度を変化させるためのシステム及び方法を開示する。フェースプレートは複数の緊締具によってイオン源のチャンバ壁に保持する。これら緊締具としては、引張ばね又は圧縮ばねがあり得る。負荷の下での引張又は圧縮ばねの長さを変化させることによって、ばねのばね力を増加させることができる。この増加したばね力は、フェースプレートとチャンバ壁との間の圧縮力を増加させ、向上した熱伝導率をもたらす。若干の実施形態において、ばね長さは、電子的長さ調節器によって調節される。この電子的長さ調節器は、ばねの所望長さを示す電気信号を出力するコントローラと通信する。ばねの長さを調節する種々の機構を開示する。【選択図】図１
2021507462.tif 000002
【特許請求の範囲】
【請求項１】
イオン源であって、
複数のチャンバ壁と、
圧縮力を使用して前記チャンバ壁に当接配置されるフェースプレートと、及び
前記フェースプレートを前記チャンバ壁に固定する１つ又はそれ以上の緊締具であり、前記緊締具によって印加される圧縮力が電子的に変化され得る、該緊締具と、
を備える、イオン源。
【請求項２】
請求項１記載のイオン源において、前記緊締具は、緊締デバイス及び力調節器を有し、前記力調節器は、ばねと、負荷の下にある前記ばねの長さを調節する力調節器とを有する、イオン源。
【請求項３】
請求項２記載のイオン源において、前記電子的長さ調節器は、圧電アクチュエータを有する、イオン源。
【請求項４】
請求項２記載のイオン源において、前記電子的長さ調節器は、ソレノイドを有する、イオン源。
【請求項５】
請求項２記載のイオン源において、前記電子的長さ調節器は、サーボモータ及びアームを有し、前記アームの基端部は前記サーボモータの回転部分に取り付ける、イオン源。
【請求項６】
請求項２記載のイオン源において、前記電子的長さ調節器は、空気シリンダを有する、イオン源。
【請求項７】
請求項２記載のイオン源において、前記電子的長さ調節器は、サーボモータ及びボールねじを有する、イオン源。
【請求項８】
請求項１記載のイオン源において、前記緊締具は、緊締デバイス及び力調節器を有し、前記力調節器は、巻回可能コイルばね、圧電アクチュエータ、ソレノイド、空気シリンダ、サーボモータ及びボールねじ、並びにサーボモータ及びアームの基端部をサーボモータの回転部分に取り付けた該アーム、よりなるグループから選択される、イオン源。
【請求項９】
イオン源であって、
複数のチャンバ壁、
前記チャンバ壁に当接配置されるフェースプレート、及び
前記フェースプレートを前記チャンバ壁に固定する１つ又はそれ以上の緊締具
を有するものである、該イオン源と、並びに
前記緊締具によって前記フェースプレートに印加される圧縮力を調節するよう前記緊締具と通信するコントローラと
を備える、装置。
【請求項１０】
請求項９記載の装置において、前記緊締具は、ばねと、負荷の下にある前記ばねの長さを調節するよう前記コントローラと通信する電子的長さ調節器とを有する、装置。
【請求項１１】
請求項９記載の装置において、前記コントローラは、前記イオン源内に導入される供給ガスの種に基づいて圧縮力を調節する、装置。
【請求項１２】
請求項９記載の装置において、前記コントローラは入力デバイスを有し、前記コントローラは、前記入力デバイスから受け取る入力に基づいて圧縮力を調節する、装置。
【請求項１３】
イオン源であって、
複数のチャンバ壁と、及び
前記チャンバ壁に当接配置されるフェースプレートと、
を備え、
前記フェースプレートの温度は、前記フェースプレートとチャンバ壁との間における熱伝導率を変化させることによって電子的に調節可能である、イオン源。
【請求項１４】
請求項１３記載のイオン源において、さらに、前記フェースプレートとチャンバ壁との間における圧縮力を変更することによって前記熱伝導率を変化させるコントローラを備える、イオン源。
【請求項１５】
請求項１４記載のイオン源において、前記フェースプレートは、ばね及び電子的長さ調節器によって前記チャンバ壁に保持され、前記電子的長さ調節器は負荷の下にある前記ばねの長さを調節し、また前記コントローラは前記電子的長さ調節器を使用して前記圧縮力を変更する、イオン源。
【発明の詳細な説明】
【技術分野】
【０００１】
本開示の実施形態は、イオン源、及びより具体的にはイオン源のフェースプレートの温度を動的に変化させるシステム及び方法に関する。
【背景技術】
【０００２】
半導体デバイスの作製は複数の個別で複雑な処理を伴う。このようなプロセスはイオン源から抽出することができるイオンビームを利用することができる。イオン源において、イオンを形成するため供給ガスが活性化される。これらイオンは、次にフェースプレートに配置される抽出開孔経由でイオン源から抽出される。これらイオンは、電極、加速及び減速段、及び質量分析器を含む様々なコンポーネントにより下流で操作される。
【発明の概要】
【発明が解決しようとする課題】
【０００３】
供給ガスからのイオンはイオン源から抽出されるとき、これらイオンの幾分かはフェースプレート上に溜まることがあり得る。さらに、中性ガスもフェースプレートに溜まり得る。これらイオン及び中性物質は濃縮し、堆積を形成することがあり得る。若干の実施形態において、この堆積は抽出開孔に沿って生ずる。これら実施形態において、抽出開孔から抽出されるイオンビームの均一性は損なわれることがあり得る。他の実施形態において、この堆積はフェースプレートの前面に生し、アーク発生を増加する結果となり得る。
【０００４】
フェースプレート及び供給ガス種の温度は、フェースプレート上における堆積の量及び堆積速度を決定する要因となり得る。例えば、ＢＦ３及びＧｅＦ４のようなフッ素をベースとする種に関しては、堆積は表面が熱くなるほど促進され得る。逆に、一酸化炭素ガスに関しては、堆積は表面が熱くなるほど減少し得る。
【０００５】
したがって、フェースプレートの温度を動的に変化させるシステム及び方法がある場合、有用である。さらに、動的な変化が利用された供給ガスの種に基づいて実施されるならば有利である。
【課題を解決するための手段】
【０００６】
イオン源のフェースプレートの温度を変化させるためのシステム及び方法を開示する。フェースプレートは複数の緊締具によってイオン源のチャンバ壁に保持する。これら緊締具としては、引張ばね又は圧縮ばねがあり得る。負荷の下での引張又は圧縮ばねの長さを変化させることによって、ばねのばね力を増加させることができる。この増加したばね力は、フェースプレートとチャンバ壁との間の圧縮力を増加させ、向上した熱伝導率をもたらす。若干の実施形態において、ばね長さは、電子的長さ調節器によって調節される。この電子的長さ調節器は、ばねの所望長さを示す電気信号を出力するコントローラと通信する。ばねの長さを調節する種々の機構を開示する。
【０００７】
一実施態様によれば、イオン源を開示する。このイオン源は、複数のチャンバ壁と、圧縮力を使用して前記チャンバ壁に当接配置されるフェースプレートと、及び前記フェースプレートを前記チャンバ壁に固定する１つ又はそれ以上の緊締具であり、前記緊締具によって印加される圧縮力が電子的に変化され得る、該緊締具と、を備える。若干の実施形態において、前記イオン源は間接的に加熱されるカソードを有する。若干の実施形態において、前記緊締具は、緊締デバイス及び力調節器を有する。若干の実施形態において、前記力調節器は、ばねと、負荷の下にある前記ばねの長さを調節する力調節器とを有する。前記電子的長さ調節器は、圧電アクチュエータ、ソレノイド、空気シリンダ、サーボモータ及びボールねじ、並びにサーボモータ及びアームの基端部をサーボモータの回転部分に取り付けた該アームとすることができる。前記ばねは引張ばね又は圧縮ばねとすることができる。
【０００８】
他の実施態様によれば、装置を開示する。この装置は、イオン源であって、複数のチャンバ壁、前記チャンバ壁に当接配置されるフェースプレート、及び前記フェースプレートを前記チャンバ壁に固定する１つ又はそれ以上の緊締具を有する、該イオン源と、並びに前記緊締具によって前記フェースプレートに印加される圧縮力を調節するよう前記緊締具と通信するコントローラとを備える。若干の実施形態において、前記緊締具は、ばねと、負荷の下にある前記ばねの長さを調節するよう前記コントローラと通信する電子的長さ調節器とを有する。若干の実施形態において、前記コントローラは、前記イオン源内に導入される供給ガスの種に基づいて圧縮力を調節する。若干の実施形態において、前記コントローラは入力デバイスを有し、前記コントローラは、前記入力デバイスから受け取る入力に基づいて圧縮力を調節する。
【０００９】
他の実施態様によれば、イオン源を開示する。このイオン源は、複数のチャンバ壁と、及び前記チャンバ壁に当接配置されるフェースプレートと、を備え、前記フェースプレートの温度は、前記フェースプレートとチャンバ壁との間における熱伝導率を変化させることによって電子的に調節可能である。若干の実施形態において、イオン源は、さらに、前記フェースプレートとチャンバ壁との間における圧縮力を変更することによって前記熱伝導率を変化させるコントローラを備える。若干の実施形態において、前記フェースプレートは、ばね及び電子的長さ調節器によって前記チャンバ壁に保持され、前記電子的長さ調節器は負荷の下にある前記ばねの長さを調節し、また前記コントローラは前記電子的長さ調節器を使用して前記圧縮力を変更する。幾つかの実施形態において、前記圧縮力は前記イオン源内に導入される供給ガスの種に基づいて選択される。
【００１０】
本開示をよりよく理解するため、参照により本明細書に組み入れられる以下の添付図面につき説明する。
【図面の簡単な説明】
【００１１】
【図１】一実施形態によるイオン源の図である。
【図２】図１のイオン源内部の図である。
【図３】一実施形態による力調節器である。
【図４】第２実施形態による力調節器である。
【図５】第３実施形態による力調節器である。
【図６】第４実施形態による力調節器である。
【図７】第５実施形態による力調節器である。
【図８】第６実施形態による力調節器である。
【図９】圧縮ばねを採用する図４の実施形態を示す。
【図１０】一実施形態によるコントローラの動作を示す。
【発明を実施するための形態】
【００１２】
上述したように堆積はイオン源のフェースプレート上で生じ得る。この堆積は、イオン源の寿命を短くする、イオンビームの均一性に影響を及ぼす、故障率を増加させる、又はその他にイオン源に対して悪影響を与えることがあり得る。
【００１３】
イオン源のフェースプレート温度を動的に変化させることによって、堆積の量及び速度に影響を与えることができる。図１は、一実施形態によるフェースプレートの温度を変化させるイオン源を示す。イオン源１０は、イオン源チャンバを画定する複数のチャンバ壁１１を備える。抽出開孔４１を有するフェースプレート４０はチャンバ壁１１に配置することができる。フェースプレート４０は、単一コンポーネントとすることができる、又は複数コンポーネントからなるものとすることができる。例えば、一実施形態において、フェースプレート４０は、外側フェースプレートの下側に配置し、また抽出開孔４１を画定するのに役立つフェースプレートインサートを有する。したがって、本開示で使用する用語「フェースプレート」は、イオンが取り出される抽出開孔を有する構体を作成する任意なコンポーネントを意味する。イオン源チャンバ内はイオンを生成するメカニズムとすることができる。例えば、一実施形態において、間接的に加熱されるカソード（ＩＨＣ）をイオン源チャンバ内に配置することができる。
【００１４】
図２は一実施形態による電子機器及びイオン源１０の内部を示す。この実施形態において、イオン源１０は、互いに対向する２つの端部及びこれら端部を連結するチャンバ壁１１からなるチャンバ２００を有する。チャンバ２００は、さらに、底壁及びフェースプレート４０を有する。チャンバ壁１１は、導電性かつ熱伝導性の材料で構成し、また互いに電気的に導通状態にすることができる。カソード２１０は、チャンバ２００の第１端部でチャンバ２００内に配置する。フィラメント２６０をカソード２１０の背後に配置する。このフィラメント２６０はフィラメント電源２６５に導通させる。このフィラメント電源２６５は、フィラメント２６０が熱イオン電子を放出するよう、フィラメント２６０に電流を導通させる構成とする。カソードバイアス電源２１５は、カソード２１０に対してフィラメント２６０が負性になるようバイアス印加し、これによりこれら熱イオン電子がカソード２１０に向かって加速され、またカソード２１０の後面に衝突するときカソード２１０を加熱する。カソードバイアス電源２１５はフィラメント２６０をバイアス印加して、カソード２１０の電圧よりも負性で、例えば、２００Ｖ〜１５００Ｖとの間における電圧を有するようにすることができる。カソード２１０は、このときカソード前面で熱イオン電子をチャンバ２００内に放出する。
【００１５】
このように、フィラメント電源２６５はフィラメント２６０に電流を供給する。カソードバイアス電源２１５はフィラメント２６０をバイアス印加し、カソード２１０よりも負性を大きくし、電子をフィラメント２６０からカソード２１０に向けて引き寄せるようにする。さらに、カソード電源２７０を使用してカソード２１０をチャンバ２００に対して電気的にバイアス印加する。
【００１６】
この実施形態において、リペラー（反発器）２２０をカソード２１０側とは反対側におけるチャンバ２００の第２端部でチャンバ２００内に配置する。リペラーはリペラー電源２２５を導通状態にすることができる。その名前が示唆するように、リペラー２２０は、カソード２１０から放出された電子をチャンバ２００の中心に向けて戻すよう反発させる作用をする。例えば、リペラー２２０はチャンバ２００に対して負の電圧でバイアス印加して電子を反発させることができる。例えば、リペラー電源２２５は、０〜−１５０Ｖの範囲内における出力を有することができるが、他の電圧を使用することができる。若干の実施形態において、リペラー２２０は、チャンバ２００に対して０〜−１５０Ｖの範囲内でバイアス印加される。他の実施形態において、カソード電源２７０を使用して同様にリペラー２２０に電圧を供給する。他の実施形態において、リペラー２２０は接地する又は浮遊状態にすることができる。
【００１７】
動作にあたり、ガスをチャンバ２００に供給する。カソード２１０から放出される熱イオン電子はガスに対してプラズマ２５０を形成するよう作用させる。このプラズマ２５０からのイオンは、この後フェースプレート４０における抽出開孔４１から抽出させる。次にイオンを操作してワークピースに向かうイオンビームを形成する。
【００１８】
イオンを発生するための他のメカニズムを使用することができる点に留意されたい。これら他のメカニズムとしては、限定しないが、バーナス（Bernas）イオン源、ＲＦアンテナ、及び容量結合源がある。
【００１９】
図１に戻って説明すると、イオン源１０はベースプレート３０に取り付ける。若干の実施形態において、ベースプレート３０は温度制御することができる。例えば、ベースプレート３０は、ヒートシンクに取り付ける、又はそれ自体をヒートシンクとすることができる。このようにして、チャンバ壁１１はベースプレート３０に直接温度接触させる。このことは、チャンバ壁１１を冷却するよう作用することができる。
【００２０】
フェースプレート４０は、複数の緊締具５０を介してチャンバ壁１１の頂部に配置する。これら緊締具各々は、フェースプレート４０の頂部に固着されるフックのような緊締デバイス５１、並びに緊締デバイス５１及びベースプレート３０に取り付けられる力調節器５２を有する。他の実施形態において、力調節器５２は、緊締デバイス５１及びチャンバ壁１１のような他の静止表面に取り付けることができる。緊締具５０は、フェースプレート４０をチャンバ壁１１に固定するよう作用する。
【００２１】
力調節器５２はコントローラ７０と通信することができる。コントローラ７０は、処理ユニット７１及び関連するメモリデバイス７２を有する。このメモリデバイス７２は、処理ユニット７１が実行する命令を格納し、コントローラ７０が本明細書記載の機能を実施できるようにする。このメモリデバイス７２は、フラッシュＲＯＭ、電気的に消去可能なＲＯＭ又は他の適当なデバイスのような不揮発性メモリとすることができる。他の実施形態において、メモリデバイス７２は、ＲＡＭ又はＤＲＡＭのような揮発性メモリとすることができる。処理ユニット７１は、汎用コンピュータ、特殊用途コンピュータ、マイクロコントローラ又は他のタイプの電気回路とすることができる。コントローラ７０は、以下に詳細に説明するように、１つ又はそれ以上の電気信号を力調節器５２に出力することができる。コントローラ７０は、ユーザー・インタフェース又は他の入力デバイス７３と通信することができる。コントローラ７０は、以下に説明するように、入力デバイス７３からの入力を受け取ることができる。
【００２２】
力調節器５２を使用して、フェースプレート４０とチャンバ壁１１の頂部との間における圧縮力を変化させる。若干の実施形態において、力調節器５２は、引張ばねを使用して緊締デバイス５１によってフェースプレート４０に加わる力を変化させることができる。引張ばねが伸張するとき、そのばね力は長さを線形的に増加する。したがって、引張ばねを伸張させることによって、フェースプレート４０に対して緊締デバイス５１が加える下向き力を変化させることができる。他の実施形態においては、引張ばねをしないものとすることができる。
【００２３】
すべての実施形態において、システムは、複数のチャンバ壁１１及びチャンバ壁１１の頂部に配置したフェースプレート４０を有するイオン源１０を備える。複数の緊締具５０は、フェースプレート４０をチャンバ壁１１に保持するのに使用される。緊締具５０は、一方の端部でフェースプレート４０に取り付け、また反対側の端部でベースプレート３０又は他の静止物体に取り付けことができる。緊締具５０は、フェースプレート４０に加わる圧縮力を動的に変化させることができる。幾つかの実施形態において、コントローラ７０は緊締具５０と通信して緊締具５０によって加わる圧縮力を制御する。
【００２４】
上述したように、若干の実施形態において、コントローラ７０は、タッチスクリーン、キーボード又はマウスのような入力デバイス７３と通信する。若干の実施形態において、入力デバイス７３は他のコントローラに対するインタフェースとすることができる。この実施形態において、ユーザー又はオペレーターは、入力デバイス７３を使用して所望圧縮力を選択することができる。入力に基づいて、コントローラ７０は、１つ又はそれ以上の電気信号を力調節器５２に出力して、フェースプレート４０に加わる圧縮力を変化させることができる。
【００２５】
例えば、若干の実施形態において、供給ガスがフッ素含有種であるとき、フェースプレート４０はより低い温度を有するのが望ましい場合があり得る。チャンバ壁１１はベースプレート３０に取り付けられているため、チャンバ壁１１は、フェースプレート４０よりも低い温度になり得る。フェースプレート４０に加わる圧縮力を増加することによって、フェースプレート４０とチャンバ壁１１との間の熱接触を改善することができる。この熱接触の改善は、他の実施形態において、フェースプレート４０の温度を増加させるのが有利な場合があり得る。フェースプレート４０に加わる圧縮力を減少することによって、熱伝導率を減少し、フェースプレート４０の温度を増加させる。
【００２６】
電気的制御力調節器５２を使用することによって、フェースプレート４０に対するこれら温度変化は、任意なコンポーネントに対する真空又は物理的操作を中断することなく動的に行うことができる。
【００２７】
若干の実施形態において、最小の容認可能な圧縮力であるようにすることができる。この最小容認可能圧縮力は、誤整列のリスクなしにフェースプレート４０を所定位置に保持するのに必要な最小の力であり得る。同様に、最大容認可能圧縮力があり得る。例えば、この最大容認可能圧縮力より大きい力は、フェースプレート４０とチャンバ壁１１との間における熱伝導率を改善することはない。
【００２８】
したがって、若干の実施形態において、電気的制御力調節器５２は、最小容認可能圧縮力と最大容認可能圧縮力との間における力を得ることができる。幾つかの実施形態において、電気的制御力調節器５２はこれら２つの限界値間の複数の圧縮力を印加することができる。
【００２９】
図３〜７は引張ばねを利用する力調節器の実施形態を示す。引張ばねは、負荷下にある引張ばねの長さを変化させ、したがってばね力を変化させる電子的長さ調節器と関連して使用する。
【００３０】
図３は、電子的長さ調節器３００が１つ又はそれ以上の圧電アクチュエータ３１０を有する第１実施形態を示す。電子的長さ調節器３００は、一方の端部で引張ばね３３０に取り付ける。反対側の端部はベースプレート３０又は他の静止物に取り付ける。この実施形態において、コントローラ７０は、圧電アクチュエータ３１０における電極３２０に１つ又はそれ以上の電圧を印加する。これら電圧は、圧電アクチュエータ３１０の長さを変化させる電場を生ずる。圧電アクチュエータの長さ変化は、電極３２０に印加される電圧に関連する。電子的長さ調節器３００は、電極３２０に印加される最低電圧が最大容認可能圧縮力を生ずるよう構成することができる。より高い電圧は圧電アクチュエータ３１０の長さを伸張させ、圧縮力を減少させる。多数の圧電アクチュエータ３１０を直列接続し、この実施形態における電子的長さ調節器３００によって得ることができる長さ最大変化を増加させる。長さ変化は印加電圧に関連するため、この実施形態における電子的長さ調節器３００は、或る範囲にわたるばね力を生ずることができる。
【００３１】
図４は、電子的長さ調節器４００が空気シリンダ４１０を有する第２実施形態を示す。空気シリンダ４１０は、ベースプレート３０又は他の静止物に取り付けることができる。空気シリンダ４１０におけるピストン４１１は引張ばね４３０に取り付けることができる。コントローラ７０は、空気シリンダ４１０とガス容器４２０との間に配置されるバルブ４１５と通信することができる。バルブ４１５が開くとき、ガス容器４２０からの圧縮ガスは、空気シリンダ４１０内の容積部に流入する。この圧縮ガスは空気シリンダ４１０内のピストン４１１を引張ばね４３０から離れる方向に押圧し、引張ばね４３０の長さを増加させる。圧縮ガスが容積部から排除されるとき、ピストン４１１がベースプレート３０から離れる方向に押圧し、引張ばね４３０の長さを減少させる。バルブ４１５はコントローラ７０によって制御することができる。図４は単動シリンダとしての空気シリンダ４１０を示しているが、若干の実施形態において複動シリンダを使用できると理解されたい。ピストン４１１の位置は容積部内圧縮ガス量に関連するため、この実施形態における電子的長さ調節器４００は、或る範囲にわたるばね力を生ずることができる。
【００３２】
図５は、電子的長さ調節器５００がソレノイド５１０を有する第３実施形態を示す。ソレノイドの一方の端部はベースプレート３０又は他の静止物に取り付けることができる。ソレノイド５１０の他方の端部は、引張ばね４３０に取り付けることができる。コントローラ７０は電気信号をソレノイド５１０に供給することができる。一方の状態において、ソレノイド５１０は膨張状態に移動し、引張ばね５３０の長さを減少する。このことは、ばね力を低下させ、これによりフェースプレート４０に対する圧縮力を低下させる。第２状態においてソレノイド５１０は収縮状態に移動し、引張ばね５３０の長さを増加する。このことは、ばね力、及びしたがってフェースプレート４０に加わる圧縮力を増加させる。ソレノイドは正確に２つの状態を有するため、この実施形態においては、電子的長さ調節器５００は２つの異なる長さを達成することができる。
【００３３】
図６は、電子的長さ調節器６００がサーボモータ６１０を有する第４実施形態を示す。サーボモータ６１０の回転力は回転アーム６１１の基端部と連動することができる。サーボモータ６１０は、ベースプレート３０又は他の静止物に備え付けることができる。回転アーム６１１の末端部は引張ばね６３０に取り付けることができる。コントローラ７０はサーボモータ６１０と通信することができ、回転軸線の周りに回転させる。このことは、次にアーム６１１を回転させる。回転アーム６１１の末端部がベースプレート３０から最も遠い位置にあるとき、引張ばね６３０の長さは最小化され、またこの結果として、フェースプレート４０の圧縮力が減少する。回転アーム６１１が回転するときに、末端部がベースプレート３０に近づき、このことは、引張ばね６３０の長さを増加する。長さ変化は回転アーム６１１の回転角度に関連するため、この実施形態における電子的長さ調節器６００は或る範囲にわたるばね力をもたらすことができる。
【００３４】
図７は、電子的長さ調節器７００がサーボモータ７１０、ボールねじ７１５、及びボールねじナットブラケット７２０を有する第５実施形態を示す。サーボモータ７１０はコントローラ７０と通信することができる。サーボモータ７１０は、垂直向きにすることができるボールねじ７１５を回転する。ボールねじナットブラケット７２０は、ボールねじ７１５に備え付け、ボールねじ７１５の回転に基づいて垂直方向に移動する。ボールねじ７１５は、チャンバ壁１１のような壁によって支持することができる。引張ばね７３０は、ボールねじナットブラケット７２０に取り付けることができる。このようにして、ボールねじナットブラケット７２０が垂直下向きに移動するとき、引張ばね７３０の長さは増加してばね力を増加させる。逆に、ボールねじナットブラケット７２０が上向きに移動するとき、引張ばね７３０の長さは減少してばね力を減少させる。長さ変化はボールねじ７１５の回転に関連するため、この実施形態においては、電子的長さ調節器７００は或る範囲にわたるばね力をもたらすことができる。
【００３５】
図８は、力調節器が引張ばねを採用しない他の実施形態を示す。この実施形態において、力調節器８００は巻回可能コイルばね８１０を有する。巻回可能コイルばね８１０の内側端部は、コントローラ７０によって回転することができるロッド８１１に取り付ける。巻回可能コイルばね８１０の外側端部は緊締デバイス５１に取り付けることができる。巻回可能コイルばね８１０をより強く巻回するとき、巻回可能コイルばね８１０の張力は増加し、フェースプレート４０に対する圧縮力を増加する。巻回可能コイルばね８１０の巻回を緩めるとき張力は減少し、フェースプレート４０に対する圧縮力を減少する。若干の実施形態において、巻回可能コイルばね８１０は、ベースプレート３０又は他の静止物に固着されるハウジング８２０内に配置することができる。張力変化はロッド８１１の回転角度に関連するため、この実施形態においては、力調節器８００は或る範囲にわたる圧縮力をもたらすことができる。
【００３６】
図３〜７はすべて引張ばねの使用を示すが、圧縮ばねをこれら実施形態のいずれにも使用できることを理解されたい。上述した実施形態のすべてを再現することなく、図４の実施形態における圧縮ばね使用を例として示される。当業者は、他の実施形態でどのように圧縮ばねを使用できるかは容易に理解できるであろう。
【００３７】
図９は、圧縮ばね９３０を採用する図４の実施形態を示す。図４の実施形態と共通する要素は同一参照符号を付している。この実施形態において、緊締デバイス５１はピストン４１１に取り付ける。圧縮ばね９３０は空気シリンダ４１０と固定壁のような剛性構体９４０との間に配置する。ピストン４１１が移動するにつれ、圧縮ばね９３０の長さが変化する。
【００３８】
したがって、引張ばねを利用する図３〜７の実施形態と同様に、本明細書記載の電子的長さ調節器も圧縮ばねとともに使用することができる。
【００３９】
さらに、若干の実施形態において、図３〜７に示す実施形態はばねを使用せずに採用することができる。これら実施形態において、電子的長さ調節器は力調節器５２（図１参照）として作用する。例えば、図３において、１つ又はそれ以上の圧電アクチュエータ３１０は、フェースプレート４０に印加される力を変化させる力調節器として作用することができる。図４において、空気シリンダ４１０は力調節器として作用することができる。図５において、ソレノイド５１０は力調節器として作用することができる。図６において、サーボモータ６１０は力調節器として作用することができる。最後に図７において、ボールねじ７１５及びボールねじナットブラケット７２０は力調節器として作用することができる。
【００４０】
動作にあたり、ユーザー又はオペレーターは、チャンバ２００内に導入される供給ガスの種を決定することができる。供給ガスの選択は、フェースプレート４０にとって特別な温度が好ましいことを示し得る。例えば、上述したように、フッ素含有種は、より冷たいフェースプレート４０に有利であり得る。したがって、この場合、フェースプレート４０に印加される圧縮力を増加させ、向上したチャンバ壁１１との熱接触を生ずる。このことは、フェースプレート４０の温度を減少する。逆に、一酸化炭素ガスは、より熱いフェースプレート４０に有利であり得る。したがって、この場合、フェースプレート４０に印加される圧縮力を減少させ、チャンバ壁１１との熱接触を低下させる。一実施形態において、コントローラ７０は、供給ガスの選択に基づいて、緊締具５０に、より具体的には力調節器５２に１つ又はそれ以上の電気信号を出力する。他の実施形態において、ユーザー又はオペレーターは、コントローラ７０に所望セッティングを指示することができる。一実施形態において、ホット及びクールの２つのセッティングがあり得る。他の実施形態において、複数のセッティングがあり得る。この場合、コントローラ７０は入力されたセッティングに基づいて適切な電気信号を出力する。
【００４１】
図１０はこのシーケンスを説明するフローチャートを示す。ボックス１０００で示すように、コントローラ７０は入力デバイス７３からの入力を受け取る。この入力は、フェースプレート４０の所望動作温度又は使用すべき供給ガス種とすることができる。この入力に基づいて、コントローラ７０は、ボックス１０１０に示すように、フェースプレート４０に加えるべき圧縮力を決定する。この圧縮力は、次にボックス１０２０で示すように、電圧に変換される。若干の実施形態において、コントローラは、力及び対応電圧を含むテーブルを利用することができる。他の実施形態において、コントローラ７０は、力を電圧に変換する等式を使用することができる。若干の実施形態において、コントローラ７０は、入力デバイス７３からの入力を、圧縮力を決定する中間プロセスなしに電圧に直接変換することができる。電圧が決定された後、ボックス１０３０で示すように、この電圧が力調節器５２に印加される。
【００４２】
本明細書記載のシステム及び方法は多くの利点を有する。上述したように、イオン源のフェースプレートにおける堆積は供給ガスの種及びフェースプレートの温度の関数であり得ることが分かっている。フェースプレートの温度を変化させることによって、堆積を減少させることができる。さらに、このシステムによれば、真空中断又は任意なコンポーネントへの物理的アクセスをすることなく温度を変化させることができる。１つの試験において、引張ばねのばね力を２倍にすることによってフェースプレートの温度を７０℃減少させることが分かった。したがって、チャンバ壁とフェースプレートとの間における圧縮力を変化させることによって、フェースプレートの温度を操作することができ、改善された性能及びより長い予防的保守プロセス間運用を得ることができる。さらにまた、このシステムによれば、イオン源の構成を物理的に変化させる必要がなくイオン源内の供給ガスを変化させることができる。
【００４３】
本開示は、本明細書記載の特別な実施形態によって範囲を限定されない。実際、本明細書記載の実施形態に加えて、本開示に対する他の様々な実施形態又は変更例は、当業者には上述した説明及び添付図面から明らかであろう。したがって、このような他の実施形態及び変更例は本開示の範囲内に納まることを意図する。さらにまた、本開示は、特別な目的のための特別な環境における特別な実施形態の文脈で説明したが、当業者であれば、その有用性はそれに限定されない、及び本開示は任意な数の目的のための任意な数の環境でも有利に実施できることを理解するであろう。したがって、特許請求の範囲は、本明細書記載の本開示の全範囲及び精神の観点で解すべきである。
【図１】
2021507462.tif 000003
【図２】
2021507462.tif 000004
【図３】
2021507462.tif 000005
【図４】
2021507462.tif 000006
【図５】
2021507462.tif 000007
【図６】
2021507462.tif 000008
【図７】
2021507462.tif 000009
【図８】
2021507462.tif 000010
【図９】
2021507462.tif 000011
【図１０】
2021507462.tif 000012
【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
フェースプレート温度が動的に調節可能なイオン源であって、
複数のチャンバ壁と、
圧縮力を使用して前記チャンバ壁に当接配置されるフェースプレートと、及び
前記フェースプレートを前記チャンバ壁に固定する１つ又はそれ以上の緊締具であり、前記緊締具によって印加される圧縮力が電子的に変化され得る、該緊締具と、
を備える、イオン源。
【請求項２】
請求項１記載のイオン源において、前記緊締具は、緊締デバイス及び力調節器を有し、前記力調節器は、ばねと、負荷の下にある前記ばねの長さを調節する力調節器とを有する、イオン源。
【請求項３】
請求項２記載のイオン源において、前記電子的長さ調節器は、圧電アクチュエータを有する、イオン源。
【請求項４】
請求項２記載のイオン源において、前記電子的長さ調節器は、ソレノイドを有する、イオン源。
【請求項５】
請求項２記載のイオン源において、前記電子的長さ調節器は、サーボモータ及びアームを有し、前記アームの基端部は前記サーボモータの回転部分に取り付ける、イオン源。
【請求項６】
請求項２記載のイオン源において、前記電子的長さ調節器は、空気シリンダを有する、イオン源。
【請求項７】
請求項２記載のイオン源において、前記電子的長さ調節器は、サーボモータ及びボールねじを有する、イオン源。
【請求項８】
請求項１記載のイオン源において、前記緊締具は、緊締デバイス及び力調節器を有し、前記力調節器は、巻回可能コイルばね、圧電アクチュエータ、ソレノイド、空気シリンダ、サーボモータ及びボールねじ、並びにサーボモータ及びアームの基端部をサーボモータの回転部分に取り付けた該アーム、よりなるグループから選択される、イオン源。
【請求項９】
フェースプレート温度が動的に調節可能なイオン源を有する装置であって、前記イオン源は、
複数のチャンバ壁、
前記チャンバ壁に当接配置されるフェースプレート、及び
前記フェースプレートを前記チャンバ壁に固定する１つ又はそれ以上の緊締具
を有するものである、該イオン源と、並びに
前記緊締具によって前記フェースプレートに印加される圧縮力を調節するよう前記緊締具と通信するコントローラと
を備える、装置。
【請求項１０】
請求項９記載の装置において、前記緊締具は、ばねと、負荷の下にある前記ばねの長さを調節するよう前記コントローラと通信する電子的長さ調節器とを有する、装置。
【請求項１１】
請求項９記載の装置において、前記コントローラは、前記イオン源内に導入される供給ガスの種に基づいて圧縮力を調節する、装置。
【請求項１２】
請求項９記載の装置において、前記コントローラは入力デバイスを有し、前記コントローラは、前記入力デバイスから受け取る入力に基づいて圧縮力を調節する、装置。
【請求項１３】
フェースプレート温度が動的に調節可能なイオン源であって、
複数のチャンバ壁と、及び
前記チャンバ壁に当接配置されるフェースプレートと、
を備え、
前記フェースプレートの温度は、前記フェースプレートとチャンバ壁との間における熱伝導率を変化させることによって電子的に調節可能である、イオン源。
【請求項１４】
請求項１３記載のイオン源において、さらに、前記フェースプレートとチャンバ壁との間における圧縮力を変更することによって前記熱伝導率を変化させるコントローラを備える、イオン源。
【請求項１５】
請求項１４記載のイオン源において、前記フェースプレートは、ばね及び電子的長さ調節器によって前記チャンバ壁に保持され、前記電子的長さ調節器は負荷の下にある前記ばねの長さを調節し、また前記コントローラは前記電子的長さ調節器を使用して前記圧縮力を変更する、イオン源。
【手続補正２】
【補正対象書類名】図面
【補正対象項目名】図２
【補正方法】変更
【補正の内容】
【図２】
2021507462.tif 000013
【国際調査報告】
2021507462.tif 000014
2021507462.tif 000015